(57)【特許請求の範囲】
【請求項１】
電子レンジによって加熱調理可能なレンジ用パウチを内部に収納する紙箱であって、底面板側に伸びる帯状の枕板部を有し、前記枕板部には差込み部が連結されており、底面板には差込み受け孔が設けられていることを特徴とするレンジ用パウチ収納箱。
【請求項２】
前記枕板部は底面部の正側面板側端部から形成されており、前記枕板部の正側面板側端部から差込部側端部までの長さが正側面板側端部から差し込み孔までの長さよりも長いことを特徴とする請求項１に記載のレンジ用パウチ収納箱。
【請求項３】
前記枕板部に罫線が設けられており、差込部を差し込み孔に差し込んだ時に罫線が折り曲がることを特徴とする請求項１または２に記載のレンジ用パウチ収納箱。
【請求項４】
底面板と枕板部とを仮接着する易剥離接着部を設けたことを特徴する請求項１〜３のいずれかに記載のレンジ用パウチ収納箱。
【請求項５】
請求項１〜４のいずれかに記載のレンジ用パウチ収納箱であって、蒸気抜き部が設けられた内容物入りレンジ用パウチを収納したことを特徴するレンジ用パウチ収納箱。
【発明の詳細な説明】
【技術分野】
【０００１】
本発明は、レンジ用パウチを紙箱に入れたまま、電子レンジで高周波加熱により調理可能なレンジ用パウチ収納箱に関する。
【背景技術】
【０００２】
調理済みレトルトカレーのように、加熱するだけで賞味することができる食品類は、簡単に食事をとる事ができる為、近年、独身者のみならず、高齢者や、料理に時間をかけられない人々にとって、簡便に食事を取ることができる手段になっている。
このような食品は、カレー、シチュー、酢豚、ミートボール煮、八宝菜など、内部に水分が入っていて、水分が高周波でエネルギー準位をあげる励起現象を起こし、振動や回転をすることによって、周囲の他の成分もそのエネルギーが伝わることで、加熱調理される。加熱された水の一部は、蒸気となって膨張し、包装容器であるパウチを内部から押し広げる力となり、内部圧力が上昇し、丸く膨んでくる。
もし、そのままパウチ内部の圧力が上昇し、内部の水分が沸騰するようなことになるとパウチは爆発し、高温になった内容物が飛び散るおそれがある。
そこで、このような事が起きないよう、パウチには、蒸気抜き機能を設けている。
さらに、加熱が終了し、取り出す時にパウチが高温になっている。
【０００３】
このようなことが起きないようにパウチを紙箱に入れてそのまま電子レンジで加熱できるようにすれば、より安全であり電子レンジ内へ置く場合にも、はっきり表記し易いなどのメリットもある。
特に、紙箱の断熱性により取り出す時に安全であるというメリットもある。
【０００４】
このような電子レンジによるレトルト食品の紙箱に入れたまま行う加熱について、例えば、特許文献１では電子レンジ用包装箱の天面に帯状の開封用ジッパーが設けられており、ジッパーから開封し、箱の上部側を裏面側に折り曲げることで枕にし、加熱時に内容物が蒸気抜き部に接しないようにしたものである。しかし、消費者がこのような煩雑な作業を行うのは煩わしい。
【０００５】
また、特許文献２では、電子レンジで加熱を行った時に天面に設けた開封部分が自動で開封する自動開封機能付き電子レンジ用箱入り包装袋が提案されている。
【０００６】
この電子レンジ用箱入り包装袋は単純に箱の向きを確認して電子レンジに入れ、加熱できるので手間なく調理可能である。
しかし、蒸気抜き部が開封部に向かって突出するようになっているので、加熱すると蒸気抜き部が自然と持ち上がる構造になっている為、蒸気抜き部に内容物が接するおそれがない。しかし、蒸気抜き部が側部にあるような構造のパウチを用いた場合には、加熱時に内容物が蒸気抜き部に接してしまうおそれがあり、パウチの構造が特許文献２で示すような特殊な構造のパウチに限られる問題があった。
【先行技術文献】
【特許文献】
【０００７】
【特許文献１】特許第４１８６７２６号公報
【特許文献２】特許第５０６２４０９号公報
【発明の概要】
【発明が解決しようとする課題】
【０００８】
そこで、調理に手間を掛けず、かつ、パウチ自体に蒸気抜き部を高い位置に持ち上げる機能がないパウチであっても、外装の紙箱に蒸気抜き部を持ち上げる構造を持たせることで、火傷を負い難い、電子レンジによって加熱調理可能なレンジ用パウチを内部に収納する紙箱を提供することが、本発明の課題である。
【課題を解決するための手段】
【０００９】
本発明は電子レンジによって加熱調理可能なレンジ用パウチを内部に収納する紙箱であって、底面板側に伸びる帯状の枕板部を有し、前記枕板部には差込み部が連結されており、底面板には差込み受け孔が設けられていることを特徴とするレンジ用パウチ収納箱である。
【発明の効果】
【００１０】
本発明のレンジ用パウチ収納箱は、単に枕板部の差込み部を底面板の差込み受け孔に挿入するだけで、レンジ用パウチの蒸気抜き部を上方に向けて傾けて固定する枕部を形成できる。その為、手間をかけずに、内容物がそのまま噴出すことが無いようにして、電子レンジで加熱調理が可能である。
【図面の簡単な説明】
【００１１】
【図１】本発明のレンジ用パウチ収納箱の一例で、未加熱における収納状態と、可動部のロック部を係止して枕部を立てた状態とにおける底面側から見た斜視図である。
【図２】本発明のレンジ用パウチ収納箱の一例で、未加熱において、枕部を立てた収納状態と、可動部のロック部を係止して枕部を立て、電子レンジ加熱して、開口部が開いた状態とにおける上面側から見た斜視図である。
【図３】本発明のレンジ用パウチ収納箱の一例で、収納箱の展開図である。
【図４】本発明のレンジ用パウチ収納箱の一例で、未加熱における収納状態と、可動部を押して枕部を立てた状態とにおける断面図である。
【図５】本発明のレンジ用パウチ収納箱の一例で、電子レンジでの加熱状態における断面図と、電子レンジ加熱が終了してパウチを取り出す状態における斜視図である。
【図６】本発明のレンジ用パウチ収納箱に入れるレンジ用パウチの例である。
【図７】従来のレンジ用パウチ収納箱の例で、その収納箱の展開図である。
【図８】従来のレンジ用パウチ収納箱の例で、未加熱における収納状態と、箱の上部を開口して折り返して立てた状態とにおける断面図である。
【発明を実施するための形態】
【００１２】
以下、本発明のレンジ用パウチ収納箱の実施形態例について、図を用いて詳細に説明する。
図１は本発明のレンジ用パウチ収納箱の一例で、図１−１は、未加熱における収納状態の底面側から見た斜視図である。
レンジ用パウチ収納箱１は、扁平の直方体形状で、底面板１２の四辺にはそれぞれ垂直に立った側面板１３が設けられている。
紙箱の側面板１３のひとつの正側面板１３１に連結し、罫線３０を介して、底面板１２側に伸びる帯状の枕板部３を有している。
さらに、枕板部３先端に差込み部３３が連結している。
その上、枕板部３の中央には枕罫線３４があって、枕罫線３４を境界として元枕板部３１と先枕板部３２を形成している。
枕板部３と底面板１２は易剥離性接着部１２２を介して接着されている。易剥離性接着部１２２に用いられる接着剤としては、酢酸ビニル・アクリル共重合タイプのエマルジョン系接着剤、例えば、サイデン化学株式会社製サイビノール（登録商標）ＤＢＡ１６４、スチレン・アクリル共重合体エマルジョン、例えば、サイデン化学株式会社製サイビノール（登録商標）Ｋ−１０５１、また、エチレン・酢酸ビニル共重合系接着剤や、低重合度水
溶性樹脂と高重合度アクリル樹脂を混合した擬似接着性樹脂なども用いる事ができる。さらに、易剥離性接着部１２２を再剥離しない通常の接着剤を塗工し、その周囲を半抜きにする方法でもかまわない。
【００１３】
図１−２は、枕板部３を立てた状態の底面側から見た斜視図である。
易剥離性接着部１２２を底面板１２から剥がし、差込部を差し込み孔に差し込むことで枕板部３を立てることができる。
【００１４】
さらに、正側面板側端部から差し込み孔までの長さは正側面板側端部から枕板部３の端部までの長さよりも短い。これによって、差込部３３を差し込み孔に差し込んだ時に枕板部は枕罫線で折れ、外側に突出した形状となる。
枕板部３に設けられた枕罫線３４は複数本であっても構わない。
【００１５】
図２は本発明のレンジ用パウチ収納箱の一例である。図２−１は枕板部３を立てた電子レンジで加熱する前の状態におけるレンジ用パウチ収納箱を上面側から見た斜視図である。
上面板１１には開口脆弱線１１２が形成されており、開口してレンジ用パウチを取り出すことができるような大きな面積の開口部１１１を形成している。
【００１６】
図２−２は、電子レンジで加熱した状態における上面側から見た斜視図である。
レンジ用パウチは、内容物に含有する水分が高周波加熱により沸騰し、体積を増して膨らむ。膨らむとレンジ用パウチは球形に近くなろうとして、厚みが大きくなり収納箱１の高さを大きく越える。その為、開口部１１１の内側をレンジ用パウチが押して、開口脆弱線１１２を破断し、開口する。
開口部１１１の大きさは上面板面積の３分の１以上、好ましくは２分の１以上で、３分の２以下が好ましい。開口部１１１面積が大きすぎると、収納箱全体が膨らんで、レンジ用パウチの力で開口脆弱線１１２が破断して自動開口しないおそれがある。また、３分の１未満で小さい場合、レンジ用パウチを収納箱から取り出し難い問題がある。
面積以外に、開口部１１１の最大幅を、レンジ用パウチ４の幅からシール部分を除いた幅近傍にまで広げておくことが好ましい。さらにレンジ用パウチの蒸気抜き部は開口部１１１とは反対側に位置するように収容されている。これにより、レンジ用パウチを取り出す時には蒸気抜き部とは反対側をつかむことができる為、取り出す時に安全である。
【００１７】
図３は、本発明のレンジ用パウチ収納箱１の一例における展開図である。
上面板１１から右側面板１３４に連通して、開口脆弱線１１２が走り、開口部１１１が形成されている。右側面のりしろ１３４０にも脆弱線１３４１が設けられている。
正側面板１３１下端から罫線３０を介して、帯状の枕板部３が連結し、さらに枕板部他端に差込み部３３が連結している。
そして、枕板部３は正側面板１３１下端に繋がる罫線３０に平行した罫線３４があって元枕板部３１と先枕板部３２に分かれている。
底面板１２の正側面のりしろ１３１０側端面から枕板部３の差込部側端部に満たない位置に差込み受け孔１２１が設けられている。差込み受け孔１２１は切り込みで作られ、そこに差込み部３３が挿入される。抜け難くする為に差込み部３３の厚みよりも狭い幅のスリットか、幅の無い単なる切り込みでもかまわない。差し込み部に係止片を設けて、差し込み孔に差し込んだ時にロックする構造にしても良い。
底面板には易剥離接着部が設けられており、枕板部３の内面が易接着されるようになっている。
【００１８】
ベタで塗工するのりしろ用の接着剤としては、酢酸ビニル・アクリル共重合タイプのエマルジョン系接着剤、例えば、サイデン化学株式会社製サイビノール（登録商標）ＤＢＡ
１５５Ｌ，サイビノール（登録商標）ＤＢＡ１６４、日英化工株式会社製ライフボンド（登録商標）ＡＶ−６５０Ｙ４、ライフボンド（登録商標）ＡＶ−６５０Ｙ６などが使用できる。
【００１９】
図４は本発明のレンジ用パウチ収納箱の一例で、図４−１は未加熱における収納状態における断面図である。
レンジ用パウチ４の蒸気抜き部４１側が枕板部３のある側になるようレンジ用パウチ収納箱１に収納されている。
【００２０】
レンジ用パウチ４は表裏が軟質のフィルムで周囲をシールされた袋状のパウチで高圧力、高温であっても、破損しにくい丈夫なフィルムで構成されている。
レンジ用パウチ４には蒸気抜き部４１があり、内部圧力が一定以上に大きくなった場合、内部の蒸気を逃がすようになっている。
図６に本発明で使用するレンジ用パウチの例を示した。パウチの蒸気抜き部４１は図６−１や図６−３で示すようなシール部が周囲の融着部よりも内側に突出してあって、そこが内部圧力により周囲よりも先に剥離して開口するものや、図６−２のように穴があり、その周囲の融着部が内部圧力で先に剥離するもの、図６−４のように切り口周囲に外周のシール部４０より低い融着強度のフィルムを融着しているものなど、どのようなものでもかまわない。
【００２１】
図４−２は、電子レンジ加熱する直前における未加熱状態におけるレンジ用パウチ収納箱の断面図である。
差込み部３３を差込み受け孔１２１に差し込み枕板部３を立てている。枕板部３を立てることによって、レンジ用パウチ４の上部が持ち上がり、内容物５の液面が蒸気抜き部に接しない位置まで下方に移動している。
これによって、内容物が沸騰しても内容物の汁などが直接外に噴出すことが無いようにしている。
【００２２】
図５は、本発明のレンジ用パウチ収納箱の一例で、図５−１は電子レンジで加熱している状態における断面図である。
内容物５が沸騰し、レンジ用パウチ４の内部では水蒸気などが発生している。レンジ用パウチ４は、内部圧力が上昇するので、レンジ用パウチ４は膨らみ、収納箱を押し広げ、開口脆弱線１１２が破断し、開口部１１１が開口する。
さらに、レンジ用パウチ４は一定の内部圧力が上昇すると、蒸気抜き部４１が開口し、蒸気抜き部４１から発生した蒸気が抜ける。レンジ用パウチ４の蒸気抜き部４１から抜けた蒸気は、開口部１１１から逃げる。
【００２３】
図５−２は、電子レンジ加熱が終了し、沸騰が収まり、蒸気抜きが終了した後、開口部１１１を大きく開けて、レンジ用パウチ４を取り出している状態を示した断面図である。蒸気抜き部４１は開口部から離れた向きになるようにレンジ用パウチが収納箱に入れてある。
【００２４】
本発明に用いられるレンジ用パウチは、通常のレトルト用パウチと同じ構成のフィルムを使用できる。
例えば、外層から、ポリアミド／無水マレイン酸変性ポリエチレン／ポリアミド／ポリエチレン・酢酸ビニル共重合体鹸化物／無水マレイン酸変性ポリエチレン／ポリエチレン、ポリエチレン／ポリエチレンテレフタレート／アルミニウム箔／ポリエチレン／ポリアミド／ポリエチレン、
ポリプロピレン／アルミニウム箔／ポリエチレン／ポリアミド／ポリエチレン、
ポリエチレンテレフタレート／アルミニウム箔／ポリエチレン、
などの構成が考えられる。
アルミニウム箔は香りを逃がさない役目を担い、厚みは１２〜２４μｍにする。酸化珪素蒸着のポリエチレンフィルムなどで代用しても良い。また、ポリエチレンテレフタレートフィルムの厚みは８〜２５μｍとする。
これらのフィルムは、通常のドライラミネーション機、エクストルーダーラミネート機などを用いて貼り合わせるとこができる。
【００２５】
レンジ用パウチ収納箱に用いられる台紙は、内容物の重量によって異なるが、通常、コートボール紙、もしくはカード紙を使用し、紙の厚みである坪量は、２７０ｇ／ｍ２から３５０ｇ／ｍ２の範囲で使用可能である。また、紙の密度を０．６〜１．１ｇ／ｃｍ３の範囲にする。
内面、外面のいずれか、または内面及び外面に、ポリエチレンなどでコートしたものでも良い。
【００２６】
本発明のレンジ用パウチ収納箱１は、一般的なカートニングマシンにセットすれば、容易に組立てが可能である。まず、スリーブを起こし、カレーなどの内容物が充填されたレンジ用パウチ４を装填し、側面板を折りこんで、適時ホットメルト接着剤を介在して、自動で組立てることができる。
【実施例】
【００２７】
以下に本発明の具体的実施例について説明する。
【００２８】
＜実施例１＞
レンジ用パウチは、外層として、酸化珪素を蒸着した厚み１２μｍのポリエチレンテレフタレートフィルム。
グラビア印刷で設けられたインキ層。
中間層として、厚み１５μｍのナイロンフィルム。
シーラント層として、６０μｍの無延伸ポリプロピレンフィルム。
それらを、ポリウレタン系接着剤を介してドライラミネーション機によって貼り合せ、積層フィルムを作り、水１２０ｇを充填して、図６−１の形状にシールしてパウチを作成した。
レンジ用パウチ収納箱は、坪量が３２０ｇ／ｍ２のコートボール紙を使用した。
成形に用いるベタのりの材質は酢酸ビニル・アクリル共重合タイプのエマルジョン系接着剤である日英化工株式会社製ライフボンド（登録商標）ＡＶ−６５０Ｙ４を使用した。
易剥離接着部に用いる接着剤はスチレン・アクリル共重合体エマルジョンであるサイデン化学株式会社製サイビノール（登録商標）Ｋ−１０５１を使用した。図３の展開図形状に抜いて、箱を組み立てて、レンジ用パウチを充填した。
【００２９】
＜比較例１＞
レンジ用パウチは水充填した実施例１と同じレンジ用パウチを使用した。
レンジ用パウチ収納箱は、実施例１と同じく、坪量が３２０ｇ／ｍ２のコートボール紙を使用し、成形に用いるベタのりは日英化工株式会社製ライフボンド（登録商標）ＡＶ−６５０Ｙ４を使用した。
箱の形状は図７の展開図形状に抜いて、箱を組み立てて、レンジ用パウチを充填した。
そのレンジ用パウチを充填した断面図は図８−１のように蒸気抜き部４１が開口部１１１側に来るようにする。
電子レンジで加熱する時には図８−２の断面図で示すように、開口部１１２脆弱線を破断、右側面板の脆弱線１３３１や左側面板の脆弱線１３４１まで破断させる。さらに、正側面板１３１を含む上部を底面板に設けた罫線で１８０度折り曲げて開口し、上部を下側に枕部とさせて、レンジ用パウチの蒸気抜き部を上側に傾けて、加熱した。
【００３０】
＜比較例２＞
レンジ用パウチは、水充填した実施例１と同じレンジ用パウチを使用した。
レンジ用パウチ収納箱は、実施例１と同じく、坪量が３２０ｇ／ｍ２のコートボール紙を使用し、成形に用いるベタのりは日英化工株式会社製ライフボンド（登録商標）ＡＶ−６５０Ｙ４を使用した。
箱の形状は、特許文献２に記載の形状とした。
【００３１】
＜評価試験内容＞
実施例と比較例について、下記の方法で試験し、比較評価した。
＜簡便性＞
一般主婦５人に３箱ずつ、計１５箱を渡し、電子レンジに入れる準備作業に掛かる時間を測定し、３秒間以内に出来た箱が１３箱以上を○、８箱以上１２箱までを△、７箱以下を×とした。
＜内容物の漏れの有無＞
各々５箱ずつ、電子レンジの中に入れて、６００ワットで１００秒間加熱し、内容物が蒸気抜き部から漏れるかどうか確認した。
＜総合＞
簡便性と漏れの有無の評価結果から総合的に使用可能か判断した。
【００３２】
＜評価結果＞
【００３３】
【表１】
0006485018.tif 000002
実施例１は、簡便性は３秒間以内に出来た箱が１４箱で○、漏れは無く、総合評価は○であった。
比較例１は、簡便性易は３秒間以内に出来た箱が８箱で△、漏れは無く、総合評価は△であった。
比較例２は、簡便性は「○」だが、内容物が大量に漏れてしまった為に、総合評価は×であった。
【００３４】
以上のように、本発明のレンジ用パウチ収納箱のように枕部を設けると、簡単で、早く、手間を書けずに電子レンジで内容物が漏れないレンジ用収納箱を準備できた。
【００３５】
本発明のレンジ用パウチ収納箱１は、以上の様なもので、単純に、枕板部３を底面板１２から剥がし、先端の差込み部３３を差込み受け部１２１に差し込んで枕板部３を底面板から飛び出すように立てる。
枕部を立てたレンジ用パウチ収納箱の底面板側を下にして電子レンジで加熱するだけで、道具も要らず、迅速に調理ができ、加熱によって内容物が噴出すなどの問題も無い。
また、加熱直後の熱いパウチは紙箱に入っているので、火傷もしないで、電子レンジから取り出せるなど、メリットは大きい。
【符号の説明】
【００３６】
１・・・・・・・・・レンジ用パウチ収納箱
１１・・・・・・・・上面板
１１１・・・・・・・開口部
１１２・・・・・・・開口脆弱線
１２・・・・・・・・底面板
１２１・・・・・・・差込み受け孔
１２２・・・・・・・易剥離接着部
１２３・・・・・・・収納差込み受け孔
１３・・・・・・・・側面板
１３１・・・・・・・正側面板
１３１０・・・・・・正側面のりしろ
１３２・・・・・・・側面板
１３３・・・・・・・左側面板
１３４・・・・・・・右側面板
１３４０・・・・・・右側面のりしろ
３・・・・・・・・・枕板部
３０・・・・・・・・罫線（正側面板と枕板部との繋ぎ）
３１・・・・・・・・元枕板部
３２・・・・・・・・先枕板部
３３・・・・・・・・差し込み部
３４・・・・・・・・枕罫線
４・・・・・・・・・レンジ用パウチ
４０・・・・・・・・シール
４１・・・・・・・・蒸気抜き部
５・・・・・・・・・内容物
【図１】
0006485018.tif 000003
【図２】
0006485018.tif 000004
【図３】
0006485018.tif 000005
【図４】
0006485018.tif 000006
【図５】
0006485018.tif 000007
【図６】
0006485018.tif 000008
【図７】
0006485018.tif 000009
【図８】
0006485018.tif 000010